(57)【特許請求の範囲】
【請求項１】
単相３線式の交流電源を供給する導電バーから電圧を検出する電圧検出手段と；
導電バーに接続される分岐ブレーカから負荷側に流れる電流を検出するとともに、電圧検出手段で検出される電圧の位相に対して１００Ｖの負荷と２００Ｖの負荷とで検出した電流の位相が逆位相となるように設置される電流検出手段と；
電圧検出手段で検出される電圧の位相に対する電流検出手段で検出される１００Ｖの負荷の電流の位相および２００Ｖの負荷の電流の位相の情報を予め保有しており、電圧検出手段で検出された電圧の位相と電流検出手段で検出された電流の位相とから負荷の電圧を判断し、判断した負荷の電圧に基づいて電力を演算する演算部と；
を具備していることを特徴とする電力計測ユニット。
【請求項２】
単相３線式で交流電源を供給する導電バーと；
負荷側の電圧に応じた接続状態となるように導電バーに接続される複数の分岐ブレーカと；
請求項１記載の電力計測ユニットと；
を具備していることを特徴とする分電盤。
【発明の詳細な説明】
【技術分野】
【０００１】
本発明の実施形態は、電力使用量を計測する電力計測ユニット、およびこの電力計測ユニットを用いた分電盤に関する。
【背景技術】
【０００２】
従来、住宅用の分電盤では、導電バーに沿って複数の分岐ブレーカが電気的に接続され、各分岐ブレーカに負荷が接続されている。導電バーは、主幹ブレーカを通じて単相三線式の交流電源が供給されるため、中性極および一対の電圧極の３つの導電バーを有している。これら３つの導電バーに対する分岐ブレーカの接続を切り換えることにより、１００Ｖの負荷および２００Ｖの負荷に対応した電圧の交流電源を供給可能となっている。
【０００３】
このような分電盤においては、各分岐ブレーカに接続された負荷毎の電力使用量や住宅全体の電力使用量を計測する電力計測ユニットを備えたものがある。
【０００４】
電力計測ユニットでは、各分岐ブレーカから負荷側に流れる電流を電流検出手段で検出し、検出した電流と負荷の電圧とから電力を演算している。負荷の電圧には１００Ｖの場合と２００Ｖの場合とがあるため、電力計測ユニットが備えている例えばスイッチを切り換えて各分岐ブレーカに接続される負荷の電圧を設定したり、画面上に表示させながら各分岐ブレーカに接続される負荷の電圧を設定している。
【先行技術文献】
【特許文献】
【０００５】
【特許文献１】特許第４７３７０５０号公報
【発明の概要】
【発明が解決しようとする課題】
【０００６】
しかしながら、電力計測ユニットでは、各分岐ブレーカに接続される負荷の電圧を設定する必要があり、分岐ブレーカの数が多くなると、設定が煩雑になる。しかも、設定する際に間違いが発生する虞があり、正確な電力の計測ができない場合がある。
【０００７】
本発明が解決しようとする課題は、分岐ブレーカに接続される負荷の電圧の設定作業が不要で、設定間違いがなく、正確な電力の計測ができる電力計測ユニットおよび分電盤を提供することである。
【課題を解決するための手段】
【０００８】
実施形態の電力計測ユニットは、電圧検出手段、電流検出手段および演算部を有する。電圧検出手段は、単相３線式の交流電源を供給する導電バーから電圧を検出する。電流検出手段は、導電バーに接続される分岐ブレーカから負荷側に流れる電流を検出するとともに、電圧検出手段で検出される電圧の位相に対して１００Ｖの負荷と２００Ｖの負荷とで検出した電流の位相が逆位相となるように設置する。演算部は、電圧検出手段で検出される電圧の位相に対する電流検出手段で検出される１００Ｖの負荷の電流の位相および２００Ｖの負荷の電流の位相の情報を予め保有している。演算部は、電圧検出手段で検出された電圧の位相と電流検出手段で検出された電流の位相とから負荷の電圧を判断し、判断した負荷の電圧に基づいて電力を演算する。
【発明の効果】
【０００９】
本発明によれば、電圧検出手段で検出される電圧の位相に対して１００Ｖの負荷と２００Ｖの負荷とで検出した電流の位相が逆位相となるように電流検出手段を設置するとともに、電圧検出手段で検出される電圧の位相に対する電流検出手段で検出される１００Ｖの負荷の電流の位相および２００Ｖの負荷の電流の位相の情報を演算部が予め保有していることにより、演算部では、電圧検出手段で検出された電圧の位相と電流検出手段で検出された電流の位相とから負荷の電圧を自動的に判断し、判断した負荷の電圧に基づいて電力を演算でき、分岐ブレーカに接続される負荷の電圧の設定作業が不要になり、設定間違いがなく、正確な電力の計測ができる。
【図面の簡単な説明】
【００１０】
【図１】一実施形態を示す電力計測ユニットによる電流検出の模式図である。
【図２】電力計測ユニットによって検出された電圧と検出された負荷の電圧毎の電流との関係を示す波形図である。
【図３】電力計測ユニットのブロック図である。
【図４】電力計測ユニットを用いる分電盤の導電バーおよび分岐ブレーカの斜視図である。
【図５】分電盤の内部構造を示す斜視図である。
【図６】分電盤の斜視図である。
【発明を実施するための形態】
【００１１】
以下、一実施形態を、図１ないし図６を参照して説明する。
【００１２】
図５および図６に示すように、分電盤10は、壁面に設置される筐体11を有している。この筐体11内に、主幹ブレーカ12、複数の導電バー13、複数の分岐ブレーカ14、および電力計測ユニット15などが配設されている。そして、導電バー13、複数の分岐ブレーカ14、および電力計測ユニット15などによって分岐側機器部16が構成されている。
【００１３】
分岐側機器部16は、筐体11に取り付けられる取付板20を有している。この取付板20上に、導電バー13、複数の分岐ブレーカ14、および電力計測ユニット15などが一体的に取り付けられている。取付板20には、取付板20の上下方向中央域に導電バー13が左右方向に沿って水平に配置され、この導電バー13の配置域の上段側および下段側に複数の分岐ブレーカ14が水平方向に並んで取り付けられている。
【００１４】
また、図４および図５に示すように、導電バー13は、単相３線式の交流電源を主幹ブレーカ12から複数の分岐ブレーカ14および電力計測ユニット15に供給するもので、中性極Ｎ用の導電バー13aおよび一対の電圧極L1，L2用の導電バー13b，13cが用いられている。これら３つの導電バー13a，13b，13cは、分電盤10の前面から見て前後方向に間隔をあけて重なるように配置されている。
【００１５】
また、複数の分岐ブレーカ14は、導電バー13の上段側および下段側に互いに向きを反対向きとして取付板20に取り付けられているとともに、導電バー13に電気的に接続されている。
【００１６】
分岐ブレーカ14は、ケース23、このケース23内に配置された回路遮断ユニット（図示せず）を備えている。
【００１７】
ケース23は、絶縁性を有する合成樹脂により、ケース23の前面から見て横幅が狭く縦方向に細長い形状に形成されている。ケース23の前面側には回路遮断ユニットを手動操作するためのブレーカハンドル24が配置され、ケース23の前面側から見て長手方向の一端側には導電バー13に電気的に接続される電源側接続部25が形成されているとともに他端側には負荷側からの一対の電線26を接続する電線接続部27が形成されている。
【００１８】
電源側接続部25には、各導電バー13a，13b，13cが差し込まれる３つの溝28a，28b，28cが形成されているとともに、３つの溝28a，28b，28cのうちの２つには３つの導電バー13a，13b，13cのうちの２つと電気的に接続される端子が配置されている。そして、分岐ブレーカ14に接続される負荷側が１００Ｖの場合には中性極Ｎ用の導電バー13aと一対の電圧極L1，L2用の導電バー13b，13cのうちのいずれか一方とが接続されるように、２００Ｖの場合には一対の電圧極L1，L2用の導電バー13b，13cと接続されるように、端子が配置される溝が異なっているか切り換えられるように構成されている。なお、例えば、上段側の分岐ブレーカ14は、負荷側が１００Ｖの場合、中性極Ｎ用の導電バー13aと電圧極L1用の導電バー13bとに接続され、また、下段側の分岐ブレーカ14は、負荷側が１００Ｖの場合、中性極Ｎ用の導電バー13aと電圧極L2用の導電バー13cとに接続される。
【００１９】
電線接続部27は、負荷側に接続される一対の電線26を差し込む一対の差込孔29を有している。これら差込孔29内には差し込まれた電線26に電気接続状態で抜け止めする鎖錠端子が配設されている。
【００２０】
回路遮断ユニットは、電源側接続部25の端子と電線接続部27の鎖錠端子との間の接続回路を開閉可能とするもので、ブレーカハンドル24の操作に応じて接続回路を開閉するとともに、接続回路の閉成状態で設定値以上の過電流が流れたときに接続回路を自動的に開成するように構成されている。
【００２１】
また、図５に示すように、電力計測ユニット15は、複数のセンサ部32、および電力計測部33を備えている。
【００２２】
センサ部32は、上段側の複数の分岐ブレーカ14の並設方向に沿って配置されるセンサ部32a、および下段側の複数の分岐ブレーカ14の並設方向に沿って配置されるセンサ部32bを有している。
【００２３】
センサ部32は、横長に形成されたケース35を有している。このケース35には、長手方向に沿って、各分岐ブレーカ14にそれぞれ接続される一対の電線26のうちの予め決められている一方の電線26が挿通される複数の挿通孔36が設けられているとともに他方の電線26が挿通される複数の挿通溝37が設けられている。
【００２４】
ケース35内には、例えばＣＴ（Current Transformer）で構成され、各挿通孔36に挿通された各電線26に流れる電流に応じた検出信号をそれぞれ出力する複数の電流検出手段38が配置されている。ケース35の端部には、各電流検出手段38で検出された検出信号を電力計測部33に出力するためのコネクタ39が配置されている。
【００２５】
電力計測部33は、導電バー13の下段側で複数の分岐ブレーカ14と並んで取付板20上に取り付けられているとともに、分岐ブレーカ14と同様に導電バー13に電気的に接続されて電力の供給を受けて動作するように構成されている。電力計測部33からは、各センサ部32のコネクタ39に電気的に接続されるコネクタを有する一対のケーブル（図示せず）が導出されている。
【００２６】
図３に示すように、電力計測部33は、導電バー13から電圧を検出する電圧検出手段41、電圧検出手段41および各電流検出手段38からの検出信号を取得して電力を演算する演算部42、および演算部42での演算結果を分電盤10の外部に設置される例えばホームゲートウェイなどの機器に出力する出力部43を有している。
【００２７】
図１には電力計測ユニット15による電流検出の模式図を示す。
【００２８】
なお、図中の符号R100は１００Ｖの負荷、R200は２００Ｖの負荷を示す。これら負荷R100，R200には分岐ブレーカ14を通じて交流電源が供給されるが、分岐ブレーカ14は図示を省略している。
【００２９】
単相３線式の交流電源は、中性極Ｎおよび一対の電圧極L1，L2を有し、電圧極L1と中性極Ｎとの間および中性極Ｎと電圧極L2との間が１００Ｖ、電圧極L1と電圧極L2との間が２００Ｖとなっている。
【００３０】
分岐ブレーカ14に１００Ｖの負荷R100が接続される場合、上段側の分岐ブレーカ14においては電圧極L1と中性極Ｎとに接続され、下段側の分岐ブレーカ14においては中性極Ｎと電圧極L2とに接続され、それぞれ１００Ｖの交流電源が負荷R100に供給される。
【００３１】
分岐ブレーカ14に２００Ｖの負荷R200が接続される場合、分岐ブレーカ14においては電圧極L1と電圧極L2とに接続され、２００Ｖの交流電源が負荷R200に供給される。
【００３２】
そして、１００Ｖの負荷R100が接続される分岐ブレーカ14においては、負荷R100に対して電圧極L1，L2側の配線場所に電流検出手段38が設置される。すなわち、１００Ｖの負荷R100が接続される上段側の分岐ブレーカ14においては、負荷R100と電圧極L1との間の配線場所に電流検出手段38が設置され、また、１００Ｖの負荷R100が接続される下段側の分岐ブレーカ14においては、負荷R100と電圧極L2との間の配線場所に電流検出手段38が設置される。
【００３３】
２００Ｖの負荷R200に接続される分岐ブレーカ14においては、負荷R200と電圧極L2との間の配線場所に電流検出手段38が設置される。
【００３４】
各電流検出手段38の設置は、上述のように決められた配線場所に設置されるように、分岐ブレーカ14に接続される一対の電線26のうち、分岐ブレーカ14の場所や負荷の電圧に応じて予め決められている一方の電線26が、センサ部32の挿通孔36つまり電流検出手段38に挿通される。すなわち、１００Ｖの負荷R100用で上段側の分岐ブレーカ14に接続される一対の電線26のうち、電圧極L1側に接続する一方の電線26が、電流検出手段38に通してから分岐ブレーカ14に接続される。１００Ｖの負荷R100用で下段側の分岐ブレーカ14に接続される一対の電線26のうち、電圧極L2側に接続する一方の電線26が、電流検出手段38に通してから分岐ブレーカ14に接続される。２００Ｖの負荷R200用の一対の電線26のうち、電圧極L2側に接続する一方の電線26が、電流検出手段38に通してから分岐ブレーカ14に接続される。
【００３５】
このように、１００Ｖの負荷R100を接続する上段側の分岐ブレーカ14と、１００Ｖの負荷R100を接続する下段側の分岐ブレーカ14と、２００Ｖの負荷R200を接続する分岐ブレーカ14とのそれぞれに応じて、予め決められた配線箇所に電流検出手段38が設置される。
【００３６】
予め決められた配線箇所に電流検出手段38が設置されることにより、図２に示すように、電圧検出手段41で検出される電圧の位相に対して、１００Ｖの負荷R100と２００Ｖの負荷R200とで電流検出手段38で検出された電流の位相が逆位相となる。すなわち、電圧検出手段41で検出される電圧の位相に対して、電流検出手段38で検出される１００Ｖの負荷R100の電流の位相が同じ向きの位相となり、電流検出手段38で検出される２００Ｖの負荷R200の電流の位相が逆位相となる。
【００３７】
そして、演算部42は、電圧検出手段41で検出される電圧の位相に対する電流検出手段38で検出される１００Ｖの負荷R100の電流の位相および２００Ｖの負荷R200の電流の位相の情報、電流検出手段38が上段側の分岐ブレーカ14に接続される負荷に流れる電流を検出するのか下段側の分岐ブレーカ14に接続される負荷に流れる電流を検出するのかという情報などを予め保有している。そのため、電圧検出手段41で検出された電圧の位相と電流検出手段38で検出された電流の位相とから負荷の電圧を判断し、判断した負荷の電圧に基づいて電力を演算することができる。
【００３８】
次に、電力計測ユニット15による電力計測動作を説明する。
【００３９】
例えば、上段側の分岐ブレーカ14に接続される１００Ｖの負荷R100で電力が使用されると、負荷R100に対して電圧極L1側に設置されている電流検出手段38により負荷R100に流れる電流が検出され、検出された検出信号が演算部42に入力される。そして、演算部42では、上段側の分岐ブレーカ14に接続される負荷に流れる電流を検出する電流検出手段38からの検出信号であることが分かっているため、図２に示すように、電圧検出手段41で検出される電圧の位相に対して、電流検出手段38からの検出信号の位相が同じ向きの位相となっていれば、１００Ｖの負荷R100であると判断し、１００Ｖの電圧で電力を演算する。
【００４０】
また、下段側の分岐ブレーカ14に接続される１００Ｖの負荷R100で電力が使用されると、負荷R100に対して電圧極L2側に設置されている電流検出手段38により負荷R100に流れる電流が検出され、検出された検出信号が演算部42に入力される。この場合、電圧極L1と中性極Ｎとの間の電流の位相に対して中性極Ｎと電圧極L2との間の電流の位相が逆位相となるが、負荷R100に対して電圧極L2側に電流検出手段38が設置されているため、この電流検出手段38で検出される電流の位相は、上段側の分岐ブレーカ14に接続される負荷R100に対して電圧極L1側に設置された電流検出手段38で検出される電流の位相と同じ向きの位相となる。そして、演算部42では、下段側の分岐ブレーカ14に接続される負荷に流れる電流を検出する電流検出手段38からの検出信号であることが分かっているため、図２に示すように、電圧検出手段41で検出される電圧の位相に対して、電流検出手段38からの検出信号の位相が同じ向きの位相となっていれば、１００Ｖの負荷R100であると判断し、１００Ｖの電圧で電力を演算する。
【００４１】
また、分岐ブレーカ14に接続される２００Ｖの負荷R200で電力が使用されると、負荷R200に対して電圧極L2側に設置された電流検出手段38により負荷R200に流れる電流が検出され、検出された検出信号が演算部42に入力される。そして、演算部42では、上段側または下段側の分岐ブレーカ14に接続される負荷に流れる電流を検出する電流検出手段38からの検出信号であることが分かっているため、図２に示すように、電圧検出手段41で検出される電圧の位相に対して、電流検出手段38から検出信号の位相が逆位相となっていれば、２００Ｖの負荷R200であると判断し、２００Ｖの電圧で電力を演算する。
【００４２】
このように、電力計測ユニット15では、電圧検出手段41で検出される電圧の位相に対して１００Ｖの負荷と２００Ｖの負荷とで検出した電流の位相が逆位相となるように電流検出手段38を設置するとともに、電圧検出手段41で検出される電圧の位相に対する電流検出手段38で検出される１００Ｖの負荷R100の電流の位相および２００Ｖの負荷R200の電流の位相の情報を演算部42が予め保有していることにより、演算部42では、電圧検出手段41で検出された電圧の位相と電流検出手段38で検出された電流の位相とから負荷の電圧を自動的に判断し、判断した負荷の電圧に基づいて電力を演算できる。そのため、分岐ブレーカ14に接続される負荷の電圧の設定作業が不要になり、設定間違いがなく、正確な電力の計測ができる。
【００４３】
なお、図２には電圧の位相と電流の位相とが同じ場合を示したが、負荷回路の影響によって位相が多少ずれていても、演算部42では負荷の電圧を判断できる。
【００４４】
また、電圧検出手段41で検出される電圧の位相に対して、電流検出手段38で検出される１００Ｖの負荷R100の電流の位相が逆位相となり、電流検出手段38で検出される２００Ｖの負荷R200の電流の位相が同じ向きの位相となるようにしてもよい。この場合、１００Ｖの負荷R100が接続される上段側の分岐ブレーカ14においては、負荷R100と中性極Ｎとの間の配線場所に電流検出手段38を設置し、また、１００Ｖの負荷R100が接続される下段側の分岐ブレーカ14においては、負荷R100と中性極Ｎとの間の配線場所に電流検出手段38を設置し、また、２００Ｖの負荷R200に接続される分岐ブレーカ14においては、負荷R200と電圧極L1との間の配線場所に電流検出手段38を設置すればよい。
【００４５】
また、電流検出手段38にＣＴを用いる場合、ＣＴの検出コイルで電流の方向を検出する向きがあるため、電圧検出手段41で検出される電圧の位相に対して１００Ｖの負荷と２００Ｖの負荷とで検出した電流の位相が逆位相となるように、ＣＴの検出コイルで電流の方向を検出する向きを変えるようにしてもよい。
【００４６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４７】
10    分電盤
13    導電バー
14    分岐ブレーカ
15    電力計測ユニット
38    電流検出手段
41    電圧検出手段
42    演算部
【図１】
0005871132.tif 000002
【図２】
0005871132.tif 000003
【図３】
0005871132.tif 000004
【図４】
0005871132.tif 000005
【図５】
0005871132.tif 000006
【図６】
0005871132.tif 000007